(57)【要約】  【課題】  検査を行うイヌ等の動物の生体情報モニタ部位の毛刈りをあらかじめ行う必要がないか、毛刈りを行う必要があっても飼い主等の了解が簡単に得られる程度の最小限の長さで済み、心電図等の生体情報を良好にモニタすることができる動物の生体情報モニタ用固定具を提供する。  【解決手段】  生体情報モニタ用センサを押圧するための押圧部材１に放射状に四方向に延びるように四本の固定用バンド８〜１１を設けて動物の生体情報モニタ用固定具を構成する。生体情報をモニタしようとする動物の身体に固定用バンド８〜１１を巻き付けて締めることで押圧部材１により生体情報センサを適度な力で押圧するとともに、その位置がずれないようにする。押圧部材１には、必要に応じて生体情報センサ装置を収納するポケット２を取り付ける。生体情報センサ装置は心電計等である。【選択図】        図１
2006141467.tif 000002
【特許請求の範囲】
【請求項１】
生体情報モニタ用センサを押圧するための押圧部材と、
上記押圧部材から放射状に少なくとも二方向に延びるように設けられた少なくとも二本の固定用バンドとを有することを特徴とする動物の生体情報モニタ用固定具。
【請求項２】
上記押圧部材から放射状に四方向に延びるように設けられた四本の固定用バンドを有することを特徴とする請求項１記載の動物の生体情報モニタ用固定具。
【請求項３】
上記四本の固定用バンドは一本おきの固定用バンド同士が互いに締結可能に構成されていることを特徴とする請求項１または２記載の動物の生体情報モニタ用固定具。
【請求項４】
上記固定用バンドが伸縮可能であることを特徴とする請求項１〜３のいずれか一項記載の動物の生体情報モニタ用固定具。
【請求項５】
上記押圧部材が生体情報モニタ装置を収納する収納部を有することを特徴とする請求項１〜４のいずれか一項記載の動物の生体情報モニタ用固定具。
【請求項６】
上記押圧部材が、生体情報モニタ用センサの装着部位を含む大きさの長方形状の形状を有することを特徴とする請求項１〜５のいずれか一項記載の動物の生体情報モニタ用固定具。
【請求項７】
上記押圧部材の押圧面が弾性を有する素材により形成されていることを特徴とする請求項１〜６のいずれか一項記載の動物の生体情報モニタ用固定具。
【請求項８】
上記弾性を有する素材がスポンジであることを特徴とする請求項７記載の動物の生体情報モニタ用固定具。
【請求項９】
上記動物がイヌであり、上記生体情報モニタ用センサが心電計に接続される電極であることを特徴とする請求項１〜８のいずれか一項記載の動物の生体情報モニタ用固定具。
【請求項１０】
動物の身体の生体情報をモニタする部位に生体情報モニタ用センサを装着し、この生体情報モニタ用センサを押圧部材により押圧した状態で生体情報をモニタするようにしたことを特徴とする動物の生体情報モニタ方法。
【発明の詳細な説明】
【技術分野】
【０００１】
この発明は、動物の生体情報モニタ用固定具および動物の生体情報モニタ方法に関し、例えば、イヌの長時間心電図検査に適用して好適なものである。
【背景技術】
【０００２】
現在行われているイヌの長時間心電図検査の主なものは、ホルター心電計による長時間心電図検査である。ホルター心電計は、２４時間の連続心電図を記録することによって異常心電図の出現を記録する装置である。これは、経時的に日内変動を観察するのに非常に有用な検査法であり、今後多用される検査法であると言われている。
ホルター心電計を用いてでも可能であるが、心拍のＲＲ間隔を連続記録することによって自律神経機能の評価が可能なこともイヌの長時間心電図が有用な点である。ＲＲ間隔のみを記録する機器も存在する。
【０００３】
自律神経系は体内の全ての臓器、組織に及んでおり、生命と生活の維持（ホメオスターシスの維持）の根幹に携わっている。このことから、自律神経系は多くの疾患に影響を与えているものと考えられる。ところが、多くの疾患は、自律神経系の直接的な関与が証明されていない。データが集積され自律神経機能評価が広く使われるようになれば獣医療への多大な貢献が予想される。
また、自律神経機能はストレスの指標にもなるので、イヌの心理や行動学の面でも機能評価が役に立つことも考えられる。
イヌの自律神経系については未だ研究段階であり、健常なイヌを含めたデータの集積が必要である。そのためには、イヌに負担が少ない（非侵襲的）と同時に、飼い主の同意を得られるような自律神経機能検査法が必要である。
【０００４】
現在、イヌの長時間心電図検査は、病院等で胸部の毛刈りを行い、電極を取り付け、心電計を携帯させて家に帰り、２４時間後にまた病院へ行ってそれらを取り外すという方法で行われている。
この目的で現在用いられている市販のイヌの長時間心電図検査用ジャケットを図２１および図２２に示す。図２１はジャケットを表側から見た図、図２２はジャケットを裏側から見た図である。このジャケットは、心電計や誘導コードを保護することが主な目的である。図２１および図２２に示すように、このジャケットにおいては、それぞれ左前肢および右前肢を入れる二つの穴１０１、１０２が設けられている。このジャケットの表側の面には、穴１０２の外側の部分に心電計収納用ポケット１０３および３本の固定用バンド１０４〜１０６が取り付けられている。心電計収納用ポケット１０３は、図示省略したマジックテープにより開閉可能になっており、心電計を出し入れすることができるようになっている。この心電計（ホルター心電計）のサイズは、例えば、高さ６２．０ｍｍ、幅８８．０ｍｍ、奥行き２３．０ｍｍである。固定用バンド１０４〜１０６の一端はジャケットに縫い付けられたバンド１０７に縫い付けられており、他端にはそれぞれ締結具１０８〜１１０が取り付けられている。また、このジャケットの表側の面には、穴１０１の外側の部分にマジックテープ１１１および３本の固定用バンド１１２〜１１４が取り付けられている。固定用バンド１１２〜１１４の一端はジャケットに縫い付けられたバンド１１５に縫い付けられており、他端にはそれぞれ締結具１１６〜１１８が取り付けられている。締結具１０８〜１１０と締結具１１６〜１１８とは互いに締結自在になっている。一方、ジャケットの裏側の面には、穴１０２の外側の部分に、心電計収納用ポケット１０３に収納される心電計の誘導コードをジャケットの裏側に通すための穴１１９が設けられているとともに、マジックテープ１２０が取り付けられている。ジャケットの裏側の面の中央部の後部には、心電計の誘導コードを固定するための固定用バンド１２１およびマジックテープ１２２が取り付けられている。
【０００５】
図２３にこのジャケットをイヌに装着した状態を示す。このジャケットをイヌに装着するには、まず、左前肢および右前肢をそれぞれ穴１０１、１０２に通し、ジャケットを胴体に巻き付け、ジャケットの表側のマジックテープ１１１にジャケットの裏側のマジックテープ１２０を貼り合わせた後、締結具１０８〜１１０と締結具１１６〜１１８とを締結する。
【０００６】
なお、特許文献１には、イヌ等の実験動物用または動物治療用ジャケットが開示されている。このジャケットは、網状基布からなるジャケット本体の前側に互いに所定間隔離間して動物の両前足挿入用開孔部を設けるともに、本体の後部を胴回り方向に伸縮可能に形成し、かつ本体の胴回り方向両端部にそれぞれこの両端部間を連結する連結手段を設け、本体の外面に実験用または治療用機器挿入ポケット部を設けている。しかしながら、このジャケッは、上記の市販されているジャケットと基本的に同じ部類に属するものであり、この発明とは大きく異なるものである。
【０００７】
【非特許文献１】特開平１０−１０８５７８号公報
【発明の開示】
【発明が解決しようとする課題】
【０００８】
図２１および図２２に示す従来の長時間心電図検査用ジャケットを、検査を行おうとするイヌに装着して心電図検査を行うためには、あらかじめ、心電図測定用の電極を当てる胸部の被毛を広範囲にわたってバリカン等により毛長１ｍｍ程度と非常に短く刈っておく必要があることから、イヌへの侵襲性があり、簡単に飼い主の了解を得ることが難しいという問題点がある。すなわち、異常が疑われるイヌにしか検査を受けさせることができず、予防のために検査を受けさせることが難しい。また、自律神経機能評価を行う場合、検査によるストレスを最小に抑えることが必要であるが、広範囲に毛刈りを行うことはストレス要因となることが考えられる。
【０００９】
また、このジャケットは、イヌの大きさに合わせて１０種類作製されており、検査機関には常に、検査を行うために一般的な大きさのイヌのためだけでも最低５つの異なるサイズのものを備えておくことが必要とされ、その分検査コストが高くなる問題点がある。
また、ジャケットの形状が決まっているため、イヌに隙間なく装着させることが困難である。マジックテープ１１１、１２０により調節を行うこともできるが、首が絞まらないように胸の部分を締める等の微調整を行うことができない。
また、心電計収納用ポケット１０３がイヌの背部にあるのに対し、電極装着部位が胸部にあるため、心電計の誘導コードが体幹を横切ることになり、イヌに不快感を与えるおそれがある。
【００１０】
そこで、この発明が解決しようとする課題は、検査を行うイヌ等の動物の生体情報モニタ部位の毛刈りをあらかじめ行う必要がないか、毛刈りを行う必要があっても飼い主等の了解が簡単に得られる程度の最小限の長さで済み、心電図等の生体情報を良好にモニタすることができる動物の生体情報モニタ用固定具および動物の生体情報モニタ方法を提供することである。
この発明が解決しようとする他の課題は、サイズを数種類用意しておくだけで十分であるため低コストであり、生体情報を良好にモニタすることができる動物の生体情報モニタ用固定具およびこれを用いた動物の生体情報モニタ方法を提供することである。
この発明が解決しようとする課題は、動物に不快感を与えることなく、生体情報を良好にモニタすることができる動物の生体情報モニタ用固定具およびこれを用いた動物の生体情報モニタ方法を提供することである。
【課題を解決するための手段】
【００１１】
本発明者らは、上記の課題を解決すべく鋭意研究を行った結果、イヌの胸部の毛刈りを行わないでも長時間心電図検査を良好に行うことができる長時間心電図検査用固定具を開発した。すなわち、従来の長時間心電図検査用ジャケットでは、イヌの胸部の毛刈りを行わずに電極を粘着パッドを利用して接着しても、長時間心電図検査を良好に行うことはできないが、単に電極を粘着パッドを利用して接着するだけでなく、この固定具により電極に外側から力を加えて適度に押圧（圧迫）することにより、イヌに不快感を与えることなく、電極を胸部にほぼ完全に密着させることができ、長時間心電図検査を良好に行うことができることを見出した。この新規な固定具によれば、従来の長時間心電図検査用ジャケットの欠点を一挙に解決することができる。長毛種のイヌでは、電極の接着がより難しくなるが、この場合でも、被毛を掻き分け、電極をできる限り皮膚に貼り付け、この固定具で押圧することにより、毛刈りを行わずに検査を行うことができ、たとえ毛刈りを行う必要が生じたとしても毛刈りの長さは必要最小限に止めることができ、ほとんど問題を生じない。
【００１２】
本発明者らは上記の知見に基づいてさらに検討を行った結果、上記の手法は、イヌだけでなく、猫やウサギ等の他の動物にも適用可能であるという結論に至った。また、心電図検査の場合には胸部に電極を接着するが、上記の手法は、より一般的には、体温や炭酸ガス濃度等の各種の測定を行うためにセンサを身体に密着させる必要がある場合全般に適用可能であると考えられる。
この発明は、以上の検討に基づいてさらに検討を行った結果案出されたものである。
【００１３】
すなわち、上記課題を解決するために、第１の発明は、
生体情報モニタ用センサを押圧するための押圧部材と、
上記押圧部材から放射状に少なくとも二方向に延びるように設けられた少なくとも二本の固定用バンドとを有することを特徴とする動物の生体情報モニタ用固定具である。
【００１４】
固定用バンドは最低限二本あれば足りるが、典型的には、押圧部材から放射状に四方向に延びるように四本設けられる。これらの固定用バンドは、生体情報をモニタしようとする動物の身体に巻き付けて締めることで押圧部材により生体情報センサを適度な力で押圧するとともに、その位置がずれないようにするために用いられる。固定用バンドが四本の場合には、一本おきの固定用バンド同士が互いに締結可能に構成され、このために典型的には各固定用バンドの先端に所定の締結具が取り付けられる。この場合、押圧部材を動物の身体の生体情報センサ装着部位に位置決めし、これらの固定用バンドを動物の身体に巻き付けた状態でこれらの締結具を用いて一本おきの固定用バンド同士を連結する。固定用バンドが二本の場合には、これらの固定用バンドの先端および押圧部材にそれぞれ締結具を取り付け、これらの固定用バンドを動物の身体に巻き付けた状態でこれらの締結具を用いて固定用バンドと押圧部材とを連結する。これらの連結状態では、バンドが交差している。この交差部は、典型的には、動物の背部である。
【００１５】
固定用バンドは各種の素材により形成することができるが、固定用バンドを動物の身体に巻き付けて締結具により連結した状態で、動物の身体に装着された生体情報センサを押圧部材により適度な力で押圧することができるようにするため、好適には、ゴムバンド等の伸縮可能な素材が用いられる。耐久性や防水性の向上のため、この固定用バンドの表面は、好適には、強度の高い化学繊維や撥水性の素材などにより形成する。
【００１６】
押圧部材の形状およびサイズは、動物の身体に装着される生体情報センサを押圧することができる限り、基本的にはどのような形状およびサイズであってもよい。この押圧部材は、典型的には、生体情報モニタ用センサの装着部位を含むサイズの長方形状の形状を有する。この押圧部材には、典型的には、生体情報モニタ装置を収納する収納部を有する。この場合、この押圧部材のサイズは生体情報モニタ装置のサイズに合わせて決められる。動物の身体に生体情報センサを装着し、この生体情報センサにより取得したデータを無線通信または有線通信により外部の生体情報モニタ装置に送信してデータ処理を行う場合には、生体情報モニタ装置を収納する収納部は不要である。
押圧部材は各種の素材により形成することができるが、固定用バンドを動物の身体に巻き付けて締結具により連結した状態で、動物の身体に装着された生体情報センサをこの押圧部材により適度な力で押圧することができるようにするため、好適には、その押圧面はスポンジ等の弾性を有する素材により形成する。耐久性や防水性の向上のため、この押圧部材の表面は、好適には、強度の高い化学繊維や撥水性の素材などにより形成する。
【００１７】
生体情報をモニタする対象動物には、イヌのほか、ネコ、ウサギ、ヤギ、ミニブタ、サラブレッド等が含まれる。これらの動物はいずれも心拍変動解析法の応用が可能なものである。
生体情報は、例えば、心電図（特に、ホルター心電図）、心拍ＲＲ間隔、活動度（加速度、傾斜）、炭酸ガス濃度、麻酔ガス濃度、脈波、動脈血酸素飽和度、血圧、体温等である。生体情報モニタ用装置は、例えば、心電計（特に、ホルター心電計（長時間心電図記録装置））、炭酸ガス濃度、麻酔ガス濃度、脈波、動脈血酸素飽和度、血圧、体温等をテレメータにより遠隔で管理する生体用テレメータ、アクティブトレーサー（心電図、心拍ＲＲ間隔、活動度等のモニタに適用）等である。生体情報センサは、電極、ガスセンサー、温度センサー等である。
【００１８】
第２の発明は、
動物の身体の生体情報をモニタする部位に生体情報モニタ用センサを装着し、この生体情報モニタ用センサを押圧部材により押圧した状態で生体情報をモニタするようにしたことを特徴とする動物の生体情報モニタ方法である。
第２の発明においては、その性質に反しない限り、第１の発明に関連して説明したことが成立する。
【００１９】
上述のように構成されたこの発明においては、電極等の生体情報センサを動物の身体の所定の部位に粘着パッド等を利用して装着した状態でこの生体情報モニタ用固定具をその固定用バンドを用いて動物に装着し、その押圧部材により生体情報センサを押圧することにより、動物の身体の生体情報モニタ部位の毛刈りを行わないでも、あるいはたとえ毛刈りを行う必要があってもビーグル等の短毛種のイヌの毛程度の長さにすれば足りるため、生体情報センサを動物の身体にほぼ完全に密着させることができる。また、固定用バンドを伸縮可能に構成したり、折り畳み部等の遊びの部分を設けたりすることにより、固定用バンドの長さを一定範囲内で調節することができるため、この生体情報モニタ用固定具を１種類のサイズしか用意しなくても、広範囲の大きさの動物に適用することができ、数種類のサイズを用意しておけば、ほとんど全ての動物に適用することができる。また、この生体情報モニタ用固定具は、必要以上に固定用バンドを強く締め付けないで済むので、動物に不快感を与えない。また、押圧部材は生体情報センサの装着部位に位置させるため、押圧部材に生体情報モニタ装置の収納用ポケットを設け、その中に生体情報モニタ装置を収納する場合、この生体情報モニタ装置と生体情報センサとを結ぶコードの長さを極めて短くすることができ、動物の体幹を横切らないで済み、動物に不快感を与えない。
【発明の効果】
【００２０】
この発明によれば、検査を行うイヌ等の動物の生体情報モニタ部位の毛刈りをあらかじめ行う必要がないか、毛刈りを行う必要があっても飼い主等の了解が簡単に得られる程度の最小限の長さで済み、サイズを数種類用意しておくだけで十分であるため低コストであり、動物に不快感を与えることがなく、生体情報を良好にモニタすることができる。
【発明を実施するための最良の形態】
【００２１】
以下、この発明の実施形態について図面を参照しながら説明する。
図１および図２はこの一実施形態によるイヌの長時間心電図検査用固定具を示す。図１はこの固定具を表側から見た図、図２はこの固定具を裏側から見た図である。
図１および図２に示すように、この長時間心電図検査用固定具においては、ポーチ状の直方体の押圧部材１の表側の面に心電計収納用ポケット２が設けられている。押圧部材１のサイズは、例えば、高さ６０ｍｍ、幅１２０ｍｍ、奥行き１０ｍｍである。この押圧部材１の素材としては、例えば、ポリウレタンフォームを用いる。心電計収納用ポケット２は、マジックテープ３が取り付けられた部分を折り曲げ、このマジックテープ３を収納部の外面に設けられたマジックテープ４に貼り合わせることにより閉じることができるようになっている。符号５はこの心電計収納用ポケット２に収納されるホルター心電計、符号６は誘導コードを示す。このホルター心電計５のサイズは、例えば、高さ６２．０ｍｍ、幅８８．０ｍｍ、奥行き２３．０ｍｍである。押圧部材１の裏側の面には、スポンジ７が取り付けられている。このスポンジ７の厚さは例えば１０〜２０ｍｍ程度である。心電計収納用ポケット２およびスポンジ７の部分の断面図を図３（図２のＸ−Ｘ線断面図）に示す。
【００２２】
押圧部材１には、その四隅の付近から放射状に延びるように四本の固定用バンド８〜１１が取り付けられている。これらの固定用バンド８〜１１は、ゴムバンド等の利用により伸縮可能に構成され、折り畳み部等の遊びの部分を設けたりすることにより、その長さを一定範囲内で調節することができるようになっている。これらの固定用バンド８〜１１の一端は押圧部材１に縫い付けられており、他端にはそれぞれ締結具１２〜１５が取り付けられている。これらの固定用バンド８〜１１の長さおよび幅の一例を挙げると、長さは３５０ｍｍ、幅は２５ｍｍである。なお、固定用バンドを二本だけ用いる場合、その長さは例えば７００ｍｍである。これらの固定用バンド８〜１１の素材としては、例えば、ポリエチレン７０％、ポリウレタン３０％のものを用いる。締結具１２と締結具１５とは互いに締結自在になっている。同様に、締結具１３と締結具１４とは互いに締結自在になっている。一方、心電計収納用ポケット２およびスポンジ７には、心電計収納用ポケット２に収納されるホルター心電計５の誘導コード６を押圧部材１の裏側に通すための穴１６が設けられている。この穴１６は、好適には、誘導コード６を最短の長さでこの穴１６から取り出すことができる位置に設けられる。
【００２３】
図４および図５にこの長時間心電図検査用固定具をイヌに装着した状態を示す。この固定具をイヌに装着するには、まず、粘着パッドを利用して三個の電極をイヌの胸部の所定の位置に接着し、これらの電極を覆うように押圧部材１のスポンジ７を当てた状態で、固定用バンド８、１１を少し引き伸ばしながら互いに交差するように背部に回し、固定用バンド８の締結具１２とバンド１１の締結具１５とを締結するとともに、固定用バンド９の締結具１３と固定用バンド１０の締結具１４とを締結する。この状態では、固定用バンド８〜１１に適度な強さの引っ張り力が加わっているため、押圧部材１により、イヌの胸部に接着された電極が適度な力で押圧され、それによって電極はイヌの胸部にほぼ完全に密着する。
【００２４】
次に、イヌの胸部に対する電極の装着位置について説明する。
イヌのホルター心電図誘導法としては、Ａ−Ｂ誘導（長軸誘導）、Ｍ−Ｘ誘導等の数種類の胸部双極誘導法が使用されている。Ｍ−Ｘ誘導とＬ−Ｒ誘導（補助誘導）とを使用する例もある。Ｍ−Ｘ誘導の利点は、動物の動きによる波形の変化が少なく、行動による筋電図の混入が少ない点、皮膚ずれが少なく、電極移動が起こりにくい点である。また、仮に毛刈りを行う場合でも、誘導点が被毛をカットしても目立たない下胸部となることも利点である。以上のことから、Ｍ−Ｘ誘導はイヌのホルター心電図誘導法として適していると考えられる。
【００２５】
図６はＭ−Ｘ誘導により心電図測定を行う場合の一般的な電極配置を示す。図６に示すように、この場合、胸骨柄部（両前肢の間）に（−）電極、剣状突起部に（＋）電極、下胸部（５〜６肋間の胸骨）にアース電極が装着される。
図７は、両前肢の間の領域近傍に電極を集中配置する場合を示す。具体的には、胸骨柄部に（−）電極、胸骨柄部後方約７ｃｍの部位（前肢間胸骨上）に（＋）電極、胸骨柄部後方約３．５ｃｍの部位（前肢間胸骨上）にアース電極が装着される。このときの粘着パッド付き電極の配置を図７Ｂに示す。図７Ｂにおいて、符号２１〜２３がそれぞれ（−）電極、（＋）電極およびアース電極、２４〜２６が粘着パッドを示す。これらの電極２１〜２３の直径は例えば１ｃｍ、粘着パッド２４〜２６の直径は例えば４ｃｍである。この場合、電極間距離は約３．５ｃｍである。
【００２６】
次に、この一実施形態による長時間心電図検査用固定具を実際にイヌに胸部の毛刈りを行わずに装着して長時間心電図検査を行った結果について説明する。ホルター心電計５としては、フクダエム・イー工業株式会社製の長時間心電図記録装置ＱＲ２１００（高さ６２．０ｍｍ、幅８８．０ｍｍ、奥行き２３．０ｍｍ）を用いた。実験に使用したイヌは、雌のビーグル１頭（体重９ｋｇ、年齢２歳、分娩回数１回）であり、臨床的に何ら問題のない個体であった。このビーグルは、一頭ずつステンレス製ケージに収容され、食事は十分に与えられ、飲み水は自由に摂取させた。電極の装着に際しては、ビーグルの前胸部をスキンピュアを用いて清拭した後、電極をできる限り被毛を掻き分けた前胸部にＭ−Ｘ誘導配置で装着し、この長時間心電図検査用固定具を用いて体幹に固定した。そして、記録を開始し、ホルター心電計５を心電計収納用ポケット２に収納した。
【００２７】
図８〜図１７にホルター心電図の解析により得られたデータの代表的なものを示す。図８は全心電図波形一覧（有効解析率表を表１に示す）、図９は就寝時の５分間波形、図１０は起床時の５分間波形、図１１は飼育管理者訪問時の５分間波形、図１２はモフォロジー一覧（波形の種類とその出現回数を示す）、図１３〜図１６は異常心電図で図１３は徐脈、図１４はポーズ、図１５はＰＡＣ単発、図１６はＰＡＣ２連、図１７はＲＲインターバル（時間毎のＲＲ間隔）である。
【００２８】
【表１】
2006141467.tif 000003
【００２９】
この実験では、１時間あたりの有効解析率が９９．６〜１００．０％であるデータが１７時間以上測定可能であった。このことから、このビーグルでは、胸部の毛刈りを行わずに、長時間心電図検査を問題なく行うことが可能であることがわかる。
図１８に上記と同様なビーグルに対して長時間ＲＲ間隔測定を行った結果を示す。測定は、ホルター心電計５の代わりにアクティブトレーサーを心電計収納用ポケット２に収納することで行った。図１８に示すように、胸部の毛刈りを行わずに、心拍変動解析を行うために十分なＲＲ間隔データを得ることができた。
図１９に、雌のラブラドールレトリバー１頭（体重２７ｋｇ、年齢３歳）に対して長時間ＲＲ間隔測定を行った結果を示す。このラブラドールレトリバーは家庭犬であり、実験中も通常通り飼育された。測定は、ホルター心電計５の代わりにアクティブトレーサーを心電計収納用ポケット２に収納することで行った。図１９に示すように、このラブラドールレトリバーでも、胸部の毛刈りを行わずに、心拍変動解析を行うために十分なＲＲ間隔データを得ることができた。
【００３０】
この一実施形態による長時間心電図検査用固定具によれば、次のような種々の利点を得ることができる。すなわち、固定用バンド８〜１１をイヌの背部で交差させて固定することにより、頚部や腹部を締め付けることなく、押圧部材１をイヌの体幹にフィットさせることができ、この押圧部材１により電極を適度な力で押圧（圧迫）してイヌの胸部にほぼ完全に密着させることができることから、胸部の毛刈りを行わないでも長時間心電図検査を支障なく行うことができる。このため、毛刈りによるストレスをイヌに与えることがなく、検査を行うことについて飼い主の了解を得やすい。また、固定用バンド８〜１１の長さを調節することで一種類の長時間心電図検査用固定具で様々な大きさのイヌに対応することができるため、検査機関が多種類の長時間心電図検査用固定具を用意する必要がなく、結果として検査コストの低減を図ることができる。また、長時間心電図検査用固定具を製造販売する側も在庫管理が容易になる結果、製造販売コストの低減を図ることができる。また、この長時間心電図検査用固定具をイヌに装着した状態の心電計収納用ポケット２の位置は電極装着部位と一致することから、従来の長時間心電図検査用ジャケットを用いる場合に比べて誘導コード６の長さを極端に短くすることができる。このため、不必要な部分の誘導コード６を収めるために心電計収納用ポケット２を大きくする必要がなく、心電計収納用ポケット２を大幅に小型化することができ、ホルター心電計５の小型化とともに心電計収納用ポケット２を一層小型化することができ、ひいては押圧部材１を一層小型化することができる。このため、この長時間心電図検査用固定具は極めて軽量に構成することができる。
【００３１】
次に、この発明の他の実施形態による長時間心電図検査用固定具について説明する。
この他の実施形態においては、押圧部材１として図２０に示すようなものを用いる。図２０Ａは押圧部材１を表側から見た図、図２０Ｂは押圧部材１を裏側から見た図である。図２０に示すように、この押圧部材１では、心電計収納用ポケット２にイヌが噛むことができる無駄な布部ができないように、心電計収納用ポケット２の角を丸くしている。
上記以外のことは上記の実施形態と同様であるので、説明を省略する。
この他の実施形態によれば、上記の実施形態と同様の利点を得ることができるほか、イヌが噛むことによる心電計収納用ポケット２の破損を防止することができるという利点を得ることもできる。
【００３２】
以上、この発明の実施形態について具体的に説明したが、この発明は、上述の実施形態に限定されるものではなく、この発明の技術的思想に基づく各種の変形が可能である。
例えば、上述の実施形態において挙げた数値、構造、形状、材料等はあくまでも例に過ぎず、必要に応じてこれらと異なる数値、構造、形状、材料等を用いてもよい。
【図面の簡単な説明】
【００３３】
【図１】この発明の一実施形態による長時間心電図検査用固定具を表側から見た図である。
【図２】この発明の一実施形態による長時間心電図検査用固定具を裏側から見た図である。
【図３】図２のＸ−Ｘ線に沿っての断面図である。
【図４】この発明の一実施形態による長時間心電図検査用固定具をイヌに装着した状態を示す略線図である。
【図５】この発明の一実施形態による長時間心電図検査用固定具をイヌに装着した状態を示す略線図である。
【図６】電極の装着部位を説明するための略線図である。
【図７】電極の装着部位を説明するための略線図である。
【図８】この発明の一実施形態による長時間心電図検査用固定具をイヌに装着してホルター心電図解析を行った結果を示す略線図である。
【図９】この発明の一実施形態による長時間心電図検査用固定具をイヌに装着してホルター心電図解析を行った結果を示す略線図である。
【図１０】この発明の一実施形態による長時間心電図検査用固定具をイヌに装着してホルター心電図解析を行った結果を示す略線図である。
【図１１】この発明の一実施形態による長時間心電図検査用固定具をイヌに装着してホルター心電図解析を行った結果を示す略線図である。
【図１２】この発明の一実施形態による長時間心電図検査用固定具をイヌに装着してホルター心電図解析を行った結果を示す略線図である。
【図１３】この発明の一実施形態による長時間心電図検査用固定具をイヌに装着してホルター心電図解析を行った結果を示す略線図である。
【図１４】この発明の一実施形態による長時間心電図検査用固定具をイヌに装着してホルター心電図解析を行った結果を示す略線図である。
【図１５】この発明の一実施形態による長時間心電図検査用固定具をイヌに装着してホルター心電図解析を行った結果を示す略線図である。
【図１６】この発明の一実施形態による長時間心電図検査用固定具をイヌに装着してホルター心電図解析を行った結果を示す略線図である。
【図１７】この発明の一実施形態による長時間心電図検査用固定具をイヌに装着してホルター心電図解析を行った結果を示す略線図である。
【図１８】この発明の一実施形態による長時間心電図検査用固定具を長時間ＲＲ間隔測定に適用した結果を示す略線図である。
【図１９】この発明の一実施形態による長時間心電図検査用固定具を長時間ＲＲ間隔測定に適用した結果を示す略線図である。
【図２０】この発明の他の実施形態による長時間心電図検査用固定具の押圧部材を示す略線図である。
【図２１】従来のイヌの長時間心電図検査用ジャケットを表側から見た図である。
【図２２】従来のイヌの長時間心電図検査用ジャケットを裏側から見た図である。
【図２３】従来のイヌの長時間心電図検査用ジャケットをイヌに装着した状態を示す略線図である。
【符号の説明】
【００３４】
１…押圧部材、２…心電計収納用ポケット、３、４…マジックテープ、５…ホルター心電計、６…誘導コード、７…スポンジ、８〜１１…固定用バンド、１２〜１５…締結具、２１〜２３…電極、２４〜２６…粘着パッド
【図１】
2006141467.tif 000004
【図２】
2006141467.tif 000005
【図３】
2006141467.tif 000006
【図４】
2006141467.tif 000007
【図５】
2006141467.tif 000008
【図６】
2006141467.tif 000009
【図７】
2006141467.tif 000010
【図８】
2006141467.tif 000011
【図９】
2006141467.tif 000012
【図１０】
2006141467.tif 000013
【図１１】
2006141467.tif 000014
【図１２】
2006141467.tif 000015
【図１３】
2006141467.tif 000016
【図１４】
2006141467.tif 000017
【図１５】
2006141467.tif 000018
【図１６】
2006141467.tif 000019
【図１７】
2006141467.tif 000020
【図１８】
2006141467.tif 000021
【図１９】
2006141467.tif 000022
【図２０】
2006141467.tif 000023
【図２１】
2006141467.tif 000024
【図２２】
2006141467.tif 000025
【図２３】
2006141467.tif 000026